【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
より小さなマイクロセルを含むマクロセルを包含する移動体通信システム（１０）において利用される方法であって、
アップリンク通信セル境界を、前記マクロセルと前記マイクロセルとの間で確立する工程と、
ダウンリンク通信セル境界を、前記マクロセルと前記マイクロセルとの間で、前記アップリンク通信セル境界とは異なるように確立する工程と、
を備えることを特徴とする方法。
【請求項２】
前記アップリンク通信セル境界は、前記ダウンリンク通信セル境界よりも広いことを特徴とする請求項１に記載の方法。
【請求項３】
前記ダウンリンク通信セル境界は、前記マイクロセルと関連づけられる基地局（１７）からブロードキャスト信号を送信するための電力を低下させることにより確立されることを特徴とする請求項２に記載の方法。
【請求項４】
前記ダウンリンク通信セル境界は、ブロードキャスト信号を送信する前記マイクロセルに関連づけられた基地局（１７）のダウンリンク・アンテナ・ビームを傾斜させて、前記ブロードキャスト信号のカバーエリアを縮小させることにより確立されることを特徴とする請求項２に記載の方法。
【請求項５】
前記ダウンリンク通信セル境界は、前記マイクロセルにより送信された信号の検出電力レベルを減少させることにより確立されることを特徴とする請求項２に記載の方法。
【請求項６】
前記マイクロセル基地局におけるアップリンク干渉レベルが、閾値を超えるか否かを判定し、もし前記閾値を超える場合に、干渉除去動作を実行して前記アップリンク干渉レベルを補償する工程を更に備えることを特徴とする請求項２に記載の方法。
【請求項７】
前記マイクロセル内におけるセル内アップリンク干渉と、前記マイクロセル内におけるセル間アップリンク干渉との一方又は両方を補償するか否かを決定する工程と、
前記ダウンリンク通信セル境界の前記マクロセル側に位置する１つ以上の移動局１つ以上のパラメータを検出する工程と、
前記マイクロセル内においてアップリンク干渉除去に利用するために、前記１つ以上のパラメータを提供する工程と
を更に備えることを特徴とする請求項６に記載の方法。
【請求項８】
移動局（１８）が所定速度以上の速度で移動していることを判定する工程と、
前記ダウンリンク通信マイクロセル境界を効果的に縮小させる工程と
を更に備えることを特徴とする請求項２に記載の方法。
【請求項９】
前記マクロセルがマクロセル基地局（１６）を含み、前記マイクロセルがマイクロセル基地局（１１）を含み、前記方法は、
前記システム内の状況が、前記マクロセルと前記マイクロセルとの間のダウンリンクセル境界と、前記マクロセルと前記マイクロセルとの間のアップリンクセル境界とが、不平衡とされるべき状況を示しているか否かを判定する工程と、
前記不平衡とされるべき状況を示していると判定された場合に、前記ダウンリンクマイクロセル境界を縮小させ、前記アップリンク及びダウンリンクのマイクロセル境界を不平衡化する工程と
を備えることを特徴とする請求項１に記載の方法。
【請求項１０】
前記不平衡とされるべき状況は、前記アップリンク及びダウンリンクのマイクロセル境界とが平衡である場合に、前記システム（１０）内の移動局（１８）が、所定のサービス品質を受けられないとの予測に基づくものであることを特徴とする請求項９に記載の方法。
【請求項１１】
前記不平衡とされるべき状況は、システム負荷、トラヒック、前記マクロセル基地局と前記移動局との間の無線リンク伝搬状況、前記マクロセル基地局のアンテナの高さ、セルサイズ、前記マクロセル基地局と前記マイクロセル基地局との間の地理的関係、及び、前記移動局の移動速度のうち、１つ以上に基づくものであることを特徴とする請求項９に記載の方法。
【請求項１２】
前記ダウンリンクセル境界は、前記マイクロセルと関連づけられる基地局からパイロット信号を送信するための電力を低下させることにより、縮小されることを特徴とする請求項９に記載の方法。
【請求項１３】
前記ダウンリンクセル境界は、マイクロセル・パイロット信号を前記マイクロセル基地局から送信するためのダウンリンク・アンテナ・ビームを傾斜させることにより、縮小されることを特徴とする請求項９に記載の方法。
【請求項１４】
前記ダウンリンクセル境界は、前記マイクロセル基地局により送信されたパイロット信号の検出電力レベルを低下させることにより、縮小されることを特徴とする請求項９に記載の方法。
【請求項１５】
移動局（１８）から前記マクロセル基地局（１６）へのアップリンク送信に関連する干渉が、所定の限界値を超える見込みがあるか否かを判定する工程と、
もし前記所定の限界値を超える見込みがあると判定された場合に、前記マイクロセル基地局（１７）干渉除去を実行する工程と
を更に備えることを特徴とする請求項９に記載の方法。
【請求項１６】
より小さなマイクロセルを含むマクロセルを包含する移動体通信システム（１０）において使用される装置であって、
アップリンク通信セル境界を、前記マクロセルと前記マイクロセルとの間で確立する手段（１２、２４）と、
ダウンリンク通信セル境界を、前記マクロセルと前記マイクロセルとの間で、前記アップリンク通信セル境界とは異なるように確立する手段（１２、２４）と、
を備えることを特徴とする装置。
【請求項１７】
前記アップリンク通信セル境界は、前記ダウンリンク通信セル境界よりも広いことを特徴とする請求項１６に記載の装置。
【請求項１８】
前記マイクロセルと関連づけられる基地局（１７）からブロードキャスト信号を送信するための電力を低下させて、前記ダウンリンク通信セル境界を縮小させる手段（２４又は３４）を更に備えることを特徴とする請求項１７に記載の装置。
【請求項１９】
前記ダウンリンク通信セル境界は、パイロット信号を送信する前記マイクロセルに関連づけられた基地局（１７）のダウンリンク・アンテナ・ビームを傾斜させて、前記パイロット信号のカバーエリアを縮小させる手段（２４又は３８）を更に備えることを特徴とする請求項１７に記載の装置。
【請求項２０】
前記マイクロセルにより送信された信号の検出電力レベルを低下させる手段（２４又は３４）を更に備えることを特徴とする請求項１７に記載の装置。
【請求項２１】
前記マイクロセル基地局におけるアップリンク干渉レベルが、閾値を超えるか否かを判定し、もし前記閾値を超える場合には、前記マイクロセルの受信器において干渉除去動作を実行して前記アップリンク干渉レベルを補償する手段（２４、３６、４０）を更に備えることを特徴とする請求項１７に記載の装置。
【請求項２２】
前記マイクロセル内におけるセル内アップリンク干渉と、前記マイクロセル内におけるセル間アップリンク干渉との一方又は両方を補償するか否かを決定する手段と、
前記ダウンリンク通信セル境界の前記マクロセル側に位置する１つ以上の移動局１つ以上のパラメータを検出する手段と、
前記マイクロセル内においてアップリンク干渉除去に利用するのために、前記１つ以上のパラメータを提供する手段と
を更に備えることを特徴とする請求項２１に記載の装置。
【請求項２３】
移動局が所定速度以上の速度で移動していることを判定する手段と、
前記ダウンリンク通信マイクロセル境界を効果的に縮小させる手段と
を更に備えることを特徴とする請求項１７に記載の装置。
【請求項２４】
前記マクロセル基地局（１６）及び前記マイクロセル基地局（１１）の１つ以上の動作を制御するように構成された監視コントローラ（２０）を更に備え、
前記確立する手段は（１２，２４）は、前記監視コントローラ（２０）と結合され、前記システム内の状況が、前記マクロセルと前記マイクロセルとの間のダウンリンクセル境界と、前記マクロセルと前記マイクロセルとの間のアップリンクセル境界との間で不平衡リンクを実装すべき状況か否かを判定し、もし前記不平衡リンクを実装すべき状況と判定した場合に、前記ダウンリンクマイクロセル境界を縮小させ、前記不平衡リンクを実装するように構成された、リンク平衡コントローラ２４を含むことを特徴とする請求項１７に記載の装置。
【請求項２５】
前記状況は、前記アップリンク及びダウンリンクのマイクロセル境界が平衡である場合に、前記システム（１０）内の移動局（１８）が、所定のサービス品質を受けられないとの予測に基づくものであることを特徴とする請求項２４に記載の装置。
【請求項２６】
前記状況は、システム負荷、トラヒック、前記マクロセル基地局と前記移動局との間の無線リンク伝搬状況、前記マクロセル基地局のアンテナの高さ、セルサイズ、前記マクロセル基地局と前記マイクロセル基地局との間の地理的関係、及び、前記移動局の移動速度のうち、１つ以上に基づくものであることを特徴とする請求項２４に記載の装置。
【請求項２７】
階層セル構造（ＨＣＳ）システムであって、より小さなマイクロセルを含むマクロセルを備え、前記マクロセルはマクロセル基地局（１６）を含み、前記マイクロセルはマイクロセル基地局（１７）を含み、前記ＨＣＳシステムは、
前記マクロセル基地局（１６）及びマイクロセル基地局（１７）と結合され、前記マクロセルと前記マイクロセルとの間のダウンリンクセル境界と、前記マクロセルと前記マイクロセルとの間のアップリンクセル境界との間で、不平衡リンクが実装されるべきか否かを判定し、もし実装すべきと判定した場合に、前記ダウンリンクマクロセル境界を縮小して前記不平衡リンクを実装するように構成された、無線ネットワーク・コントローラ（１２）を備えることを特徴とするＨＣＳシステム。
【請求項２８】
前記無線ネットワーク・コントローラ（１２）は、前記マイクロセル基地局（１７）へコマンドを送信して、前記マイクロセル基地局（１７）から送信されるパイロット信号の電力を低下させるように構成されている、ことを特徴とする請求項２７に記載のＨＣＳシステム。
【請求項２９】
前記無線ネットワーク・コントローラ（１２）は、前記マイクロセル基地局（１７）へコマンドを送信して、前記マイクロセル基地局（１７）からパイロット信号を送信する前記マイクロセル基地局（１７）のダウンリンクアンテナビームを傾斜させるように構成されている、ことを特徴とする請求項２７に記載のＨＣＳシステム。
【請求項３０】
前記無線ネットワーク・コントローラ（１２）は、
前記マイクロセル基地局（１７）により送信されたパイロット信号の検出電力を下げるために、オフセットを利用するように構成されている、ことを特徴とする請求項２７に記載のＨＣＳシステム。
【請求項３１】
前記無線ネットワーク・コントローラ（１２）は、前記移動局で検出されるパイロット信号の電力レベルを低減されるために、前記システム内の１以上の移動局（１８）にコマンドを前記オフセットと共に送信することを特徴とする請求項２７に記載のＨＣＳシステム。